(57)【特許請求の範囲】
【請求項１】
ボディー（１１１）の前面に設置された作動ボタン（１１２）が押されて作動を開始すると、前記ボディーの背面に突出形成されており、ユーザーの首の前面の下に左右鎖骨の端部分が出会う凹部位に収容される色光照射突部（１１３）を通じて可視光線波長帯域の色光を定められた時間の間に定められた照射パターンで照射して、気道と気管支の筋肉細胞で筋肉を弛緩させる物質を分泌するように誘導することにより、気道と気管支を弛緩させる色光治療器（１１０）と、
前記色光治療器（１１０）の両側面からそれぞれ延長されて、ユーザーの首周りを弾性力で包み、それぞれの末端にユーザーの首裏側を圧迫しながら、ユーザーの首裏側に固定される圧迫突起（１２１）が形成されている一対の首バンド（１２０）と、で構成される気道と気管支弛緩装置であって、
前記色光治療器（１１０）は、両側面に前記一対の首バンド（１２０）が延長されており、前記色光治療器（１１０）の内部にバッテリーとＰＣＢ（１１１ｂ）が設置されており、
前記ＰＣＢ（１１１ｂ）には、作動開始信号により定められた時間の間に定められた照射パターンで色光を放出するための色光放出信号を出力する制御部（１１１ｃ）が設けられ、
前記色光治療器（１１０）は、前記色光放出信号により点灯して気道と気管支を弛緩させるための可視光線波長帯域の色光を放出する光源（１１１ｄ）としてＬＥＤ、ＯＬＥＤ（Organic LED）、ＬＤ（Laser Diode）、または様々な色光を作ることができる３色のＬＥＤのうちのいずれかが少なくとも１つ以上設置されているボディー（１１１）と；前記ボディー（１１１）の前面に設置されて、１回押されるたびに作動開始信号と作動終了信号を交互に出力する作動ボタン（１１２）と；前記ボディー（１１１）の背面に突出形成されており、先端に前記光源（１１１ｄ）から放出される色光を集中して外部に照射するための光放出口（１１３ａ）が形成されている色光照射突部（１１３）と；前記色光照射突部（１１３）の内部に設置されて前記光源（１１１ｄ）から放出された色光をフィルタリングし、集束して前記光放出口（１１３ａ）を通じて放出する光フィルタ（１１４）と；で構成され、
前記色光治療器（１１０）は、前記ボディー（１１１）の内部に設置されており、前記作動終了信号が出力された状態で前記ボディー（１１１）の背面に露出されている振動感知部（１１５ａ）によって定められた基準値以上の振動が感知されると、振動感知信号を出力して前記制御部（１１１ｃ）に伝達する振動感知信号発生部（１１５）をさらに含んで構成される
ことを特徴とする気道と気管支弛緩装置。
【請求項２】
ボディー（１１１）の前面に設置された作動ボタン（１１２）が押されて作動を開始すると、前記ボディーの背面に突出形成されており、ユーザーの首の前面の下に左右鎖骨の端部分が出会う凹部位に収容される色光照射突部（１１３）を通じて可視光線波長帯域の色光を定められた時間の間に定められた照射パターンで照射して、気道と気管支の筋肉細胞で筋肉を弛緩させる物質を分泌するように誘導することにより、気道と気管支を弛緩させる色光治療器（１１０）と、
前記色光治療器（１１０）の両側面からそれぞれ延長されて、ユーザーの首周りを弾性力で包み、それぞれの末端にユーザーの首裏側を圧迫しながら、ユーザーの首裏側に固定される圧迫突起（１２１）が形成されている一対の首バンド（１２０）と、で構成される気道と気管支弛緩装置であって、
前記色光治療器（１１０）は、両側面に前記一対の首バンド（１２０）が延長されており、前記色光治療器（１１０）の内部にバッテリーとＰＣＢ（１１１ｂ）が設置されており、
前記ＰＣＢ（１１１ｂ）には、作動開始信号により定められた時間の間に定められた照射パターンで色光を放出するための色光放出信号を出力する制御部（１１１ｃ）が設けられ、
前記色光治療器（１１０）は、前記色光放出信号により点灯して気道と気管支を弛緩させるための可視光線波長帯域の色光を放出する光源（１１１ｄ）としてＬＥＤ、ＯＬＥＤ（Organic LED）、ＬＤ（Laser Diode）、または様々な色光を作ることができる３色のＬＥＤのうちのいずれかが少なくとも１つ以上設置されているボディー（１１１）と；前記ボディー（１１１）の前面に設置されて、１回押されるたびに作動開始信号と作動終了信号を交互に出力する作動ボタン（１１２）と；前記ボディー（１１１）の背面に突出形成されており、先端に前記光源（１１１ｄ）から放出される色光を集中して外部に照射するための光放出口（１１３ａ）が形成されている色光照射突部（１１３）と；前記色光照射突部（１１３）の内部に設置されて前記光源（１１１ｄ）から放出された色光をフィルタリングし、集束して前記光放出口（１１３ａ）を通じて放出する光フィルタ（１１４）と；で構成され、
前記色光治療器（１１０）は、前記ボディー（１１１）の内部に設置されており、前記作動終了信号が出力された状態で前記ボディー（１１１）の背面に露出されている音感知部（１１６ａ）によって定められた基準値以上の音が感知されると、音感知信号を出力して前記制御部（１１１ｃ）に伝達する音感知信号発生部（１１６）をさらに含んで構成される
ことを特徴とする気道と気管支弛緩装置。
【請求項３】
前記制御部（１１１ｃ）は、前記振動感知信号により定められた時間の間に定められた照射パターンで色光を放出するための色光放出信号を出力する
ことを特徴とする請求項１に記載の気道と気管支弛緩装置。
【請求項４】
前記制御部（１１１ｃ）は、前記音感知信号によって定められた時間の間に定められた照射パターンで色光を放出するための色光放出信号を出力する
ことを特徴とする請求項２に記載の気道と気管支弛緩装置。
【請求項５】
前記色光治療器（１１０）は、前記ボディー（１１１）の内部に設置されており、ＲＦ方式、Bluetooth（登録商標）方式、ジグ（ZigBee）方式のうちいずれかひとつの方法で無線通信が可能な外部の遠隔制御装置（２００）から作動開始信号あるいは作動終了信号を受信して前記制御部（１１１ｃ）に伝達する無線送受信部（１１７）をさらに含んで構成される
ことを特徴とする請求項１又は２に記載の気道と気管支弛緩装置。
【請求項６】
前記遠隔制御装置（２００）は、ユーザーがユーザーインターフェイス（ＵＩ）画面を通じて前記色光治療器の作動を制御することができるプログラムを搭載する携帯用スマート通信機器である
ことを特徴とする請求項５に記載の気道と気管支弛緩装置。
【請求項７】
前記光フィルタ（１１４）は、プラスチック、ガラス、石英（Quartz）、水晶（Crystal）、クリスタルガラス（crystal glass）のうちいずれかひとつで作られ、色光の投光面が円形や多角にカッティング処理され、平板や凸レンズ形状である
ことを特徴とする請求項１又は２に記載の気道と気管支弛緩装置。
【請求項８】
前記制御部（１１１ｃ）は、１分〜６０分の間に連続照射または不連続照射で区分される色光の照射パターンのうちいずれかひとつで光線の強度が１〜５０ｍＷ／ｃｍ2であり、４００ｎｍないし１０００ｎｍの可視光線波長帯域である色光を放出するための色光放出信号を出力する
ことを特徴とする請求項１又は２に記載の気道と気管支弛緩装置。
【発明の詳細な説明】
【技術分野】
【０００１】
本発明は、気道と気管支弛緩装置に関するものであり、さらに詳細には、ネックレスの形態で製作された気道と気管支弛緩装置に関するものである。
【背景技術】
【０００２】
気道や気管支の弛緩は、人間の呼吸器疾患を予防し、治療することに非常に重要である。気道や気管支が収縮すると、咳、気管支の炎症、喘息、慢性閉塞性肺疾患などのような症状を誘発する。
【０００３】
一方、気道や気管支を弛緩させる方法は、人が直接的に薬を飲んだり、補助装置（例えば、特許文献１に掲載されたような気道疾患治療に使用可能な微細粉末吸入用呼吸器など）を利用して薬物を吸入する方法があるが、薬物による各種副作用が問題点として指摘されている。
【０００４】
また、気道や気管支を弛緩させる装置として、首に微細な電気刺激を与えて迷走神経を刺激することにより、迷走神経が分泌するアドレナリンホルモンによって気道の壁の筋肉を弛緩させる装置が開発されている。
【０００５】
しかしながら、このように首部位の迷走神経を刺激する装置は、気道や気管支を弛緩させて呼吸し易くしてくれるが、電気刺激に敏感な人が使用するには不便であり、特に気道や気管支を弛緩させる物質（例えば、上述したアドレナリンホルモン）の分泌を誘導するには、少なくとも２０〜３０分程度の時間がかかるので、個人が手に持って使用することには不便である。
【先行技術文献】
【特許文献】
【０００６】
【特許文献１】韓国公開特許番号１０−２００３−００６２２７１
【発明の概要】
【発明が解決しようとする課題】
【０００７】
これによって、本出願人（又は発明者）は、上述のような気道や気管支を弛緩させる従来の方法や、従来の装置の問題点を解決すると共に、いつでもどこでも使いやすく、安価な気道と気管支弛緩装置を開発することになった。
【０００８】
本発明の目的は、首に装着することができるネックレスの形態で製作されたものであり、人間の呼吸器疾患の予防と治療に有用であると知られている天突穴部位、すなわち、首の前面の下に左右鎖骨の端が出会う凹部位に可視光線の波長帯域の色光（color light）を定められた時間の間に照射して、気道と気管支の筋肉細胞から筋肉を弛緩させる物質（例えば、一酸化窒素など）を分泌するように誘導することにより、気道と気管支を弛緩させる気道と気管支弛緩装置を提供することである。
【課題を解決するための手段】
【０００９】
前述のような本発明の目的を達成するために、本発明による気道と気管支弛緩装置は、ボディーの前面に設置された作動ボタンが押されて作動を開始すると、ボディーの背面に突出形成されており、ユーザーの首の前面の下に左右鎖骨の端部分が出会う凹部位に収容される色光照射突部を通じて可視光線波長帯域の色光を定められた時間の間に定められた照射パターンで照射して、気道と気管支の筋肉細胞から筋肉を弛緩させる物質を分泌するように誘導することにより、気道と気管支を弛緩させる色光治療器；及び前記色光治療器の両側面からそれぞれ延長されて、ユーザーの首周りを弾性力で包み、それぞれの末端にユーザーの首裏側を圧迫しながら、ユーザーの首裏側に固定される圧迫突起が形成されている一対の首バンド;で構成されることを特徴とする。
【００１０】
本発明による気道と気管支弛緩装置において、前記色光治療器は、前記ボディーの内部に設置されており、前記色光治療器の作動が終了した状態で、前記ボディーの背面に露出されている振動感知部によって定められた基準値以上の振動（例えば、ユーザーの咳による振動）が感知されると、振動感知信号を出力して前記制御部に伝達する振動感知信号発生部をさらに含んで構成され、これによって前記制御部は前記振動感知信号により定められた時間の間に定められた照射パターンで色光を放出するための色光放出信号を出力することを特徴とする。
【００１１】
本発明による気道と気管支弛緩装置において、前記色光治療器は、前記ボディーの内部に設置されており、前記色光治療器の作動が終了した状態で、前記ボディーの背面に露出されている音感知部によって定められた基準値以上の音（例えば、ユーザーの咳による音）が感知されると、音感知信号を出力して前記制御部に伝達する音感知信号発生部をさらに含んで構成され、これによって前記制御部は、前記音感知信号によって定められた時間の間に定められた照射パターンで色光を放出するための色光放出信号を出力することを特徴とする。
【００１２】
本発明による気道と気管支弛緩装置において、前記色光治療器は、前記ボディーの内部に設置されており、ＲＦ方式、Bluetooth（登録商標）方式、ジグ（ZigBee）方式などの無線通信方式で無線通信が可能な外部の遠隔制御装置（例えば、ＰＣ、ノートブック、タブレット、スマートフォン、ＰＤＡなどのような携帯用スマート通信機器）から作動開始信号、あるいは作動終了信号を受信して前記制御部に伝達する無線送受信部をさらに含んで構成されることを特徴とする。
【発明の効果】
【００１３】
本発明は、首に装着することができるネックレス形態で製作され、人体に無害な可視光線で気道や気管支を弛緩させるので、安価であり、いつでもどこでも便利に使用して、咳、気管支炎症、喘息、慢性閉塞性肺疾患などのような症状を緩和することに重要な気道や気管支の収縮を予防することができ、特に薬物テストを理由にして薬を飲むことが困難であるスポーツ選手や薬の副作用を懸念しているユーザー（例えば、子供）に非常に有用である。
【図面の簡単な説明】
【００１４】
【図１】本発明による気道と気管支弛緩装置の前面斜視図である。
【図２】本発明による気道と気管支弛緩装置の背面斜視図である。
【図３】本発明による気道と気管支弛緩装置の平面部分断面図である。
【図４】本発明による気道と気管支弛緩装置の電子装置のブロック図である。
【図５】本発明による気道と気管支弛緩装置を首に装着した使用状態を示す実施例である。
【図６】本発明による気道と気管支弛緩装置を首に装着し、スマートフォンで作動を制御する使用状態を示す実施例である。
【発明を実施するための形態】
【００１５】
以下、本発明の実施例を添付された図面を参照して、さらに詳細に説明する。
【００１６】
図1ないし図4を参照すると、本発明による気道と気管支弛緩装置１００は、色光治療器１１０と一対の首バンド１２０で区分されるネックレス形態で製作される。
【００１７】
前記色光治療器１１０は、ボディー１１１の前面に設置された作動ボタン１１２が押されて作動を開始すると、背面に突出形成されており、ユーザーの首の前面の下に左右鎖骨の端部分が出会う凹部位に収容される色光照射突部１１３を通じて可視光線波長帯域の色光を定められた時間の間に定められた照射パターンで照射して、気道と気管支の筋肉細胞から筋肉を弛緩させる物質（例えば、一酸化窒素など）を分泌するように誘導することにより、気道と気管支を弛緩させる。
【００１８】
前記色光治療器１１０のボディー１１１は、両側面に一対の首バンド１２０が延長されており、内部にバッテリー（図示せず）とＰＣＢ１１１ｂが設置されている。前記ＰＣＢ１１１ｂには、作動開始信号により定められた時間の間に定められた照射パターンで色光を放出するための色光放出信号を出力する制御部１１１ｃと、前記色光放出信号により点灯して気道と気管支を弛緩させるための可視光線波長帯域の色光を放出する光源１１１ｄとしてＬＥＤ、ＯＬＥＤ（Organic LED）、ＬＤ（Laser Diode）、または、いろいろな色光を作ることができる３色のＬＥＤのうちひとつが、少なくとも1つ以上設置されている。
【００１９】
前記バッテリーは、一度だけ使用可能な使い捨てバッテリー、あるいは充電すれば再利用が可能な充電式バッテリーである。充電式バッテリーは、前記ボディー１１１の一面に設置される充電端子（図示せず）に接続される充電アダプタを通じて充電電源を供給される。
【００２０】
参考までに、前記充電式バッテリーの充電方式は、充電端子と充電器を互いに接触して連結する接触充電方式で具現することができ、電磁気誘導作用を利用した無線充電方式、磁気（磁界）共鳴方式、電界共鳴方式、マイクロ波などを利用した電波方式などの様々な無線充電方式で具現することができる。
【００２１】
本発明による実施例において、前記制御部１１１ｃは、１分〜６０分（好ましくは１０分〜２０分）の間に連続照射または不連続照射に区分される色光の照射パターンのうちいずれかひとつで光線の強度が１〜５０ｍＷ/ｃｍ2（好ましくは８〜１０ｍＷ/ｃｍ2）であり、４００ｎｍないし１０００ｎｍの可視光線波長帯域（好ましくは４５０ｎｍ〜４８０ｎｍの可視光線波長帯域）の色光を放出するための色光放出信号を出力することが望ましい。
【００２２】
前記制御部１１１ｃが上述した色光照射時間と色光照射パターン、光線の強さ、および波長帯域で色光を放出するための色光放出信号を出力すると、結果的に人間の呼吸器疾患の予防と治療に有用であると知られている天突穴部位、すなわち、首の前面の下に左右鎖骨の端部分が出会う凹部位に照射される色光によって、気道や気管支を弛緩させる物質の分泌を十分に誘導することができるようになる。
【００２３】
前記色光治療器１１０の作動ボタン１１２は、前記ボディー１１１の前面に設置されて、1回押されるたびに作動開始信号と作動終了信号を交互に出力する。
【００２４】
前記色光治療器１１０の色光照射突部１１３は、前記ボディー１１１の背面に突出形成されており、先端に前記光源１１１ｄから放出される色光を集めて外部に照射するための光放出口１１３ａが形成されている。
【００２５】
前記色光治療器１１０の光フィルタ１１４は、前記色光照射突部１１３の内部に設置されて、前記光源１１１ｄから放出された色光をフィルタリングして、集束して前記光放出口１１３ａを通じて放出する。
【００２６】
前記光フィルタ１１４は、プラスチック、ガラス、石英（Quartz）、水晶（crystal）、クリスタルガラス（crystal glass）などで作られ、色光の投光面が円形や多角にカッティング処理されて、平板や凸レンズ形状であることが望ましい。
【００２７】
前記色光治療器１１０の振動感知信号発生部１１５は、前記ボディー１１１の内部に設置されており、前記作動終了信号が出力された状態、すなわち前記色光治療器１１０が色光の放出作動をしていない状態で、前記ボディー１１１の背面に露出されている振動感知部１１５ａによって定められた基準値以上の振動が感知されると、振動感知信号を出力して前記制御部１１１ｃに伝達する。これによって、前記制御部１１１ｃは、前記振動感知信号により定められた時間の間に定められた照射パターンで色光を放出するための色光放出信号を出力する。
【００２８】
前記色光治療器１１０の音感知信号発生部１１６は、前記ボディー１１１の内部に設置されており、前記作動終了信号が出力された状態、すなわち前記色光治療器１１０が色光放出作動をしていない状態で、前記ボディー１１１の背面に露出されている音感知部１１６ａによって定められた基準値以上の音が感知されると、音感知信号を出力して前記制御部１１１ｃに伝達する。これによって、前記制御部１１１ｃは、前記音感知信号によって定められた時間の間に定められた照射パターンで色光を放出するための色光放出信号を出力する。
【００２９】
前記色光治療器１１０の無線送受信部１１７は、前記ボディー１１１の内部に設置されており、ＲＦ方式、Bluetooth（登録商標）方式、ジグ（ZigBee）方式などのような無線通信方式で無線通信が可能な外部の遠隔制御装置２００から前記作動開始信号、あるいは前記作動終了信号を受信して前記制御部１１１ｃに伝達する。
【００３０】
前記遠隔制御装置２００は、ユーザーがユーザーインターフェイス（ＵＩ）画面を通じて色光治療器の作動を制御することができるプログラムを搭載する携帯用スマート通信機器であり、例えば、ＰＣ、ノートブック、タブレット、スマートフォン、ＰＤＡなどある。
【００３１】
前記一対の首バンド１２０は、前記色光治療器１１０の両側面からそれぞれ延長されて、ユーザーの首周りを弾性力で包み、それぞれの末端にユーザーの首裏側を圧迫しながら、ユーザーの首裏側に固定される圧迫突起１２１が形成されている。
【００３２】
前記一対の首バンド１２０は、長さ調節が可能に製作することができ、その長さ調節構造は、この技術分野の通常の技術者のレベルで様々な形態で具現することができる。例えば、通常のヘッドセットに採用されるスライディング方式の長さ調節構造が採用されることができる。
【００３３】
上述のように構成される本発明による気道と気管支弛緩装置１００は、次のように使用される。
【００３４】
図５は、ユーザーがネックレス形態で製作された気道と気管支弛緩装置１００を首に装着した使用状態を示した実施例であり、図５の（ａ）は、ユーザーの正面から見た使用状態図であり、図５の（ｂ）は、ユーザーの側面から見た使用状態図である。
【００３５】
ユーザーは、図５の（ｂ）に示すように、前記色光照射突部１１３を首の前面の下に左右鎖骨の端部分が出会う凹部位に収容されるように密着しながら、前記気道と気管支弛緩装置１００を首に装着する。この時、ユーザーは前記色光照射突部１１３が首の凹部位を過度に圧迫して痛みを感じないように、前記色光照射突部１１３を適当に密着することが望ましい。
【００３６】
このように、ユーザーが前記色光照射突部１１３を、上述した首の凹部位で収容されるように密着すると、前記色光照射突部１１３が、凹部位から離れた状態で色光を首の凹部位に照射する場合に比べて相対的に前記光源１１１ｄから放出される色光が外部に漏洩されず、首の凹部位に可能な限り多く照射されて、気道と気管支の弛緩効果を極大化することができる。
【００３７】
ユーザーがネックレス形態で製作された前記気道と気管支弛緩装置１００を首に装着した状態で、前記作動ボタン１１２を押すと、前記作動開始信号が前記制御部１１１ｃに伝達される。
【００３８】
続いて、前記制御部１１１ｃは、定められた時間の間に定められた照射パターンで色光を放出するための色光放出信号を出力する。例えば、10分〜20分の間に連続照射または不連続照射で区分される色光の照射パターンのうちいずれかひとつで光線の強度が８〜１０ｍＷ/ｃｍ2であり、４５０ｎｍ〜４８０ｎｍの可視光線波長帯域である色光を放出するための色光放出信号を出力する。
【００３９】
前記色光放出信号が前記光源１１１ｄに伝達されると、前記光源１１１ｄが点灯して気道と気管支を弛緩させるための可視光線波長帯域の色光を放出し、前記光源１１１ｄから放出される色光は、前記色光照射突部１１３の内部に設置された光フィルタ１１４を経由して前記光放出口１１３ａを通じて、人間の呼吸器疾患の予防と治療に有用であると知られている天突穴部位、すなわち、首の前面の下に左右鎖骨の端部分が出会う凹部位に集中して照射される。
【００４０】
このように、ユーザーの首の凹部位に照射される色光は、前記気道と気管支の筋肉細胞で筋肉を弛緩させる物質を分泌するように誘導することにより、気道と気管支を弛緩させる。
【００４１】
例えば、ユーザーの首の凹部位に照射される色光は、気道や気管支組織細胞にある光の受容体と作用して、環状アデノシン一リン酸（cAMP：cyclic Adenosine Monophosphate）を生成したり、または一酸化窒素（Nitric Oxide）を分泌するようにして組織細胞でグアニル酸シクラーゼ（Guanylate Cyclase）酵素を活性化させて環状グアノシン一リン酸（cGMP：cyclic Guanosine Monophosphate）の濃度を増加させることによって、気道や気管支平滑筋を弛緩させる。
【００４２】
上述したことから分かるように、前記気道と気管支弛緩装置１００は、首に装着することができるネックレス形態で製作され、人体に無害な可視光線で気道や気管支を弛緩させるので、安価であり、いつでもどこでも便利に使用して、咳、気管支炎症、喘息、慢性閉塞性肺疾患などのような症状を緩和することに重要な気道や気管支の収縮を予防することができ、特に薬物テストを理由に薬を飲むことが困難であるスポーツ選手や薬の副作用を恐れるユーザー（例えば、子供）に非常に有用である。
【００４３】
一方、前記制御部１１１ｃは、定められた時間が経過すると、自動的に前記光源１１１ｄを消灯して色光放出作動を終了する。
【００４４】
これとは異なり、ユーザーは、前記光源１１１ｄの色光放出作動が進行される途中で、前記作動ボタン１１２を再び押して作動終了信号を前記制御部１１１ｃに伝達することにより、前記光源１１１ｄの色光放出作動を終了することができる。
【００４５】
また、ユーザーがネックレス形態で製作された前記気道と気管支弛緩装置１００を首に装着しているが、上述したように、前記光源１１１ｄの色光放出動作が終了した状態で、ユーザーが咳をすると前記色光治療器１１０は、自動的に色光放出作動を開始する。
【００４６】
例えば、上述したように、ユーザーが咳をするときに、前記色光治療器１１０のボディー１１１の背面に露出されている振動感知部１１５ａによって定められた基準値以上の振動が感知されると、前記振動感知信号発生部１１５が振動感知信号を出力して前記制御部１１１ｃに伝達する。
【００４７】
これによって、前記制御部１１１ｃは、前記振動感知信号により定められた時間の間に定められた照射パターンで色光を放出するための色光放出信号を出力する。この色光放出信号が出力された後、前記光源１１１ｄの色光放出動作は、図５を参照して説明した色光放出動作と同一である。
【００４８】
また、例えば、上述したように、ユーザーが咳をするときに、前記色光治療器１１０のボディー１１１の背面に露出されている音感知部１１６ａによって定められた基準値以上の音が感知されると、前記音感知信号発生部１１６が音感知信号を出力して前記制御部１１１ｃに伝達する。
【００４９】
これによって、前記制御部１１１ｃは、前記音感知信号によって定められた時間の間に定められた照射パターンで色光を放出するための色光放出信号を出力する。この色光放出信号が出力された後、前記光源１１１ｄの色光放出動作は、図５を参照して説明した色光放出動作と同一である。
【００５０】
図６は、ユーザーが前記気道と気管支弛緩装置１００を首に装着し、外部の遠隔制御装置２００、例えばスマートフォンで作動を制御する使用状態を示した実施例である。
【００５１】
この場合、前記色光治療器１１０の制御部１１１ｃは、前記無線送受信部１１７を通じてＲＦ方式、Bluetooth（登録商標）方式、ジグ（ZigBee）方式などのような無線通信方式で無線通信が可能な外部の遠隔制御装置２００から前記作動開始信号、あるいは前記作動終了信号を伝達される。
【００５２】
前記制御部１１１ｃが外部の遠隔制御装置２００から前記作動開始信号を伝達されると、前記制御部１１１ｃは、定められた時間の間に定められた照射パターンで色光を放出するための色光放出信号を出力する。この色光放出信号が出力された後、前記光源１１１ｄの色光放出動作は、図５を参考して説明した色光放出動作と同一である。
【００５３】
また、前記制御部１１１ｃは、定められた時間が経過すると、自動的に前記光源１１１ｄを消灯して色光放出作動を終了する。
【００５４】
前記制御部１１１ｃが外部の遠隔制御装置２００から前記作動終了信号を伝達されると、前記制御部１１１ｃは前記光源１１１ｄの色光放出作動が進行されている途中で、前記光源１１１ｄの色光放出動作を終了することができる。
【００５５】
この場合、前記光源１１１ｄの色光放出動作が進行されている途中で、ユーザーが前記作動ボタン１１２を押して、作動終了信号を前記制御部１１１ｃに伝達することにより、前記光源１１１ｄの色光放出作動を終了することもできる。
【００５６】
以上で説明した本発明による気道と気管支弛緩装置は、前述した実施例に限定されるものではない。以下の特許請求の範囲で請求する本発明の要旨を逸脱することなく、本発明が属する分野で通常の知識を有する者であれば、誰でも多様に変更して実施することができる範囲で、本発明を実施することができる。
【図１】
0006427579.tif 000002
【図２】
0006427579.tif 000003
【図３】
0006427579.tif 000004
【図４】
0006427579.tif 000005
【図５（ａ）】
0006427579.tif 000006
【図５（ｂ）】
0006427579.tif 000007
【図６】
0006427579.tif 000008